(57)【要約】【課題】表示部に表示中のテレビジョン放送信号が無信号になった場合に、チャンネルの選局操作が煩雑化するのを抑制しながら、ユーザの意図に沿ったチャンネルの選局を行うことが可能であるとともに、受信部の負荷が大きくなるのを抑制することが可能なテレビジョン装置を提供する。【解決手段】この液晶テレビジョン装置１００（テレビジョン装置）は、ユーザにより指定されたチャンネルに対応するデジタルテレビジョン放送信号を受信する受信部４２と、ユーザにより指定されたチャンネルに対応する番組を表示する表示部１０と、表示部１０に表示中の番組のチャンネルに対応するデジタルテレビジョン放送信号が、受信部４２により受信されなくなった場合に、受信部４２に対して、ユーザにより予め設定されたチャンネルに対応するデジタルテレビジョン放送信号を受信可能なように切り換える制御を行う制御部４８とを備える。【選択図】図７
2010246028.tif 000002
【特許請求の範囲】
【請求項１】
ユーザにより指定されたチャンネルに対応するデジタルテレビジョン放送信号を受信する受信部と、
ユーザにより指定されたチャンネルに対応する番組を表示する表示部と、
前記表示部に表示中の番組のチャンネルに対応するデジタルテレビジョン放送信号が、前記受信部により受信されなくなった場合に、前記受信部に対して、ユーザにより予め設定されたチャンネルに対応するデジタルテレビジョン放送信号を受信可能なように切り換える制御を行う制御部とを備える、テレビジョン装置。
【請求項２】
前記表示部に表示中の番組のチャンネルに対応するデジタルテレビジョン放送信号が前記受信部により受信されなくなった際に前記表示部に表示する番組に対応するチャンネルの選局方法を、ユーザにより予め設定可能に構成されている、請求項１に記載のテレビジョン装置。
【請求項３】
前記チャンネルの選局方法として、チャンネルの番号の最大値または最小値のチャンネルを選局することをユーザにより予め設定可能に構成されており、
前記制御部は、前記チャンネルの選局方法がチャンネルの番号の最大値または最小値のチャンネルに設定されている場合に、前記表示部に表示中の番組のチャンネルに対応するデジタルテレビジョン放送信号が前記受信部により受信されなくなった際にチャンネルの番号の最大値または最小値のチャンネルに対応するデジタルテレビジョン放送信号を受信可能なように前記受信部を切り換える制御を行うように構成されている、請求項２に記載のテレビジョン装置。
【請求項４】
前記チャンネルは、物理チャンネルと、前記物理チャンネルに対して少なくとも１つ割り当てられる仮想チャンネルとから構成され、
前記制御部は、前記表示部に表示中の番組の前記仮想チャンネルに対応するデジタルテレビジョン放送信号が前記受信部により受信されなくなった際に、受信されなくなった前記仮想チャンネルが属する前記物理チャンネルに対応する残りの前記仮想チャンネルの番号の最大値または最小値の前記仮想チャンネルに対応するデジタルテレビジョン放送信号を受信可能なように前記受信部を切り換える制御を行うように構成されている、請求項３に記載のテレビジョン装置。
【請求項５】
前記チャンネルは、物理チャンネルと、前記物理チャンネルに対して少なくとも１つ割り当てられる仮想チャンネルとから構成され、
前記チャンネルの選局方法として、前記表示部に表示中の番組のチャンネルに対応するデジタルテレビジョン放送信号が前記受信部により受信されなくなった際に所定の前記物理チャンネルまたは前記仮想チャンネルの番号を指定して選局することを、ユーザにより予め設定可能に構成されており、
前記制御部は、前記チャンネルの選局方法が所定の前記物理チャンネルの番号または前記仮想チャンネルの番号を指定して選局するように設定されている場合に、前記表示部に表示中の番組のチャンネルに対応するデジタルテレビジョン放送信号が前記受信部により受信されなくなった際にユーザにより予め設定された前記物理チャンネルまたは前記仮想チャンネルの番号に対応するデジタルテレビジョン放送信号を受信可能なように前記受信部を切り換える制御を行うように構成されている、請求項２に記載のテレビジョン装置。
【請求項６】
前記チャンネルの選局方法として、前記表示部に表示中の番組のチャンネルに対応するデジタルテレビジョン放送信号が前記受信部により受信されなくなった際に前記受信部によるデジタルテレビジョン放送信号の受信動作を停止させるように設定可能に構成されており、
前記制御部は、前記チャンネルの選局方法が前記受信部によるデジタル放送信号の受信動作を停止させるように設定されている場合に、前記表示部に表示中の番組のチャンネルに対応するデジタルテレビジョン放送信号が前記受信部により受信されなくなった際にデジタルテレビジョン放送信号の受信動作を停止させるように前記受信部を制御するように構成されている、請求項２に記載のテレビジョン装置。
【発明の詳細な説明】
【技術分野】
【０００１】
この発明は、テレビジョン装置に関し、特に、デジタルテレビジョン放送信号を受信する受信部を備えたテレビジョン装置に関する。
【背景技術】
【０００２】
従来、デジタルテレビジョン放送信号を受信する受信部を備えたテレビジョン装置などが知られている（たとえば、特許文献１〜４参照）。
【０００３】
上記特許文献１では、ユーザにより指定されたチャンネルを選局するとともに、テレビジョン放送信号を受信する選局処理部と、テレビジョン放送を表示する表示部と、表示部に表示可能なチャンネルを記憶する記憶部と、表示部に表示中のテレビジョン放送信号が無信号である場合に、記憶部に記憶されているとともに、表示部に表示可能なチャンネルのリストを、ユーザがチャンネルを選択可能なように表示部に表示する選局処理命令部とを備えたテレビジョン受像機（テレビジョン装置）が開示されている。
【０００４】
また、上記特許文献２では、映像表示装置に表示するテレビジョン放送の番組におけるジャンルをユーザにより予め設定可能なジャンル設定手段と、ジャンル情報が付された番組を含むテレビジョン放送信号を受信する放送信号受信手段と、ユーザにより予め選択されたチャンネルの映像信号が所定時間無信号状態である場合、ジャンル設定手段により設定されたジャンル情報に基づいて映像表示装置に表示するチャンネルを選局する信号処理部とを備えた放送受信装置（テレビジョン装置）が開示されている。
【０００５】
また、上記特許文献３では、テレビジョン放送信号を受信する２つのチューナと、チューナにより受信されたテレビジョン放送信号による映像を表示する表示部と、表示部により表示中の番組が視聴制限により視聴不可能になった場合に、ユーザにより予め設定されたチャンネルに対応する番組を表示部に表示する制御手段とを備えた放送番組受信装置（テレビジョン装置）が開示されている。この放送番組受信装置では、一方のチューナにより、表示中の番組のチャンネルに対応するテレビジョン放送信号が受信されるように構成されている。それとともに、表示部により表示中の番組が視聴制限により視聴不可能になった際にユーザにより予め設定されたチャンネルを選局するために、他方のチューナにより、ユーザにより予め設定されたチャンネルに対応するテレビジョン放送信号も受信されるように構成されている。すなわち、上記特許文献３では、表示部により表示中の番組が視聴制限により視聴不可能になった際にユーザにより予め選局されるチャンネルが設定されている場合には、一方のチューナが視聴不可能な番組を受信しつづけるのと同時に、他方のチューナが別な視聴可能な番組を受信するので、２つのチャンネルに対応するテレビジョン放送信号を受信するように構成されている。
【０００６】
また、上記特許文献４では、テレビジョン放送信号を受信するチューナと、チューナにより受信されるテレビジョン放送信号から番組情報を抽出する番組情報抽出部と、番組情報抽出部により抽出される番組情報に基づいて、ユーザにより過去に選択された番組の番組情報をユーザプロファイル情報として蓄積したユーザプロファイルを作成するとともに、作成したユーザプロファイルおよび番組情報に基づいて、表示部に表示する番組を自動的に選局するコントローラとを備えたテレビ受信機（テレビジョン装置）が開示されている。
【先行技術文献】
【特許文献】
【０００７】
【特許文献１】特開２００７−２７４５６０号公報
【特許文献２】特開２００３−１８４８４号公報
【特許文献３】特開２００１−３４６１０８号公報
【特許文献４】特開２０００−３４１５９６号公報
【発明の概要】
【発明が解決しようとする課題】
【０００８】
しかしながら、上記特許文献１によるテレビジョン受像機（テレビジョン装置）では、表示部に表示中のテレビジョン放送信号が無信号になる毎に、表示部に表示可能なチャンネルのリストが表示され、表示部に表示されたチャンネルのリストの中から表示部に表示するチャンネルをユーザが選択する必要があるので、表示部に表示中のテレビジョン放送信号が無信号になった際のチャンネルの選局操作が煩雑化するという問題点がある。
【０００９】
また、上記特許文献２による放送受信装置（テレビジョン装置）では、映像表示装置に表示中のテレビジョン放送信号が無信号になった場合、ユーザにより予め設定されたジャンルに対応したチャンネルが選局される一方、予め設定されたジャンルに対応する番組が放送されていない場合がある。この場合には、ユーザの意図に沿ったチャンネルの選局が行われないという問題点がある。
【００１０】
また、上記特許文献３の放送番組受信装置（テレビジョン装置）では、表示部により表示される番組が視聴不可能な状態になった場合に、一方のチューナが視聴不可能な番組を受信しつづけるのと同時に、他方のチューナが別の視聴可能な番組を受信するので、チューナにより少なくとも２つのチャンネルに対応したテレビジョン放送信号を受信する必要がある。このため、テレビジョン放送信号を受信する処理を行うチューナの負荷が大きくなるという問題点がある。
【００１１】
また、上記特許文献４のテレビ受信機（テレビジョン装置）の表示部に表示する番組を自動的に選局する制御を、表示部に表示中のテレビジョン放送信号が無信号になった場合の制御に適用すると、表示部に表示中のテレビジョン放送信号が無信号になった場合、ユーザにより過去に選択された番組から作成されたユーザプロファイルと番組情報とに基づいて、チャンネルの選局が行われると考えられる。この場合、ユーザの意図とは無関係にユーザプロファイルと番組情報とに基づいてチャンネルの選局が行われるので、ユーザの意図に沿わないチャンネルの選局が行われる可能性があるという問題点がある。
【００１２】
この発明は、上記のような課題を解決するためになされたものであり、この発明の１つの目的は、表示部に表示中のテレビジョン放送信号が無信号になった場合に、チャンネルの選局操作が煩雑化するのを抑制しながら、ユーザの意図に沿ったチャンネルの選局を行うことが可能であるとともに、受信部の負荷が大きくなるのを抑制することが可能なテレビジョン装置を提供することである。
【課題を解決するための手段および発明の効果】
【００１３】
この発明の一の局面によるテレビジョン装置は、ユーザにより指定されたチャンネルに対応するデジタルテレビジョン放送信号を受信する受信部と、ユーザにより指定されたチャンネルに対応する番組を表示する表示部と、表示部に表示中の番組のチャンネルに対応するデジタルテレビジョン放送信号が、受信部により受信されなくなった場合に、受信部に対して、ユーザにより予め設定されたチャンネルに対応するデジタルテレビジョン放送信号を受信可能なように切り換える制御を行う制御部とを備える。
【００１４】
この発明の一の局面によるテレビジョン装置では、上記のように、表示部に表示中の番組のチャンネルに対応するデジタルテレビジョン放送信号が、受信部により受信されなくなった場合に、受信部に対して、ユーザにより予め設定されたチャンネルに対応するデジタルテレビジョン放送信号を受信可能なように切り換える制御を行う制御部を設けることによって、表示部に表示中の番組のチャンネルに対応するデジタルテレビジョン放送信号が受信部により受信されなくなった場合にも、ユーザにより予め設定されたチャンネルを自動的に選局することができる。これにより、表示部に表示中のデジタルテレビジョン放送信号が無信号になった際のチャンネルの選局操作が煩雑化するのを抑制することができる。また、制御部を、表示部に表示中の番組のチャンネルに対応するデジタルテレビジョン放送信号が、受信部により受信されなくなった場合に、受信部に対して、ユーザにより予め設定されたチャンネルに対応するデジタルテレビジョン放送信号を受信可能なように切り換える制御を行うように構成することによって、ユーザが予め設定したチャンネルを選局することができる。これにより、表示部に表示中のデジタルテレビジョン放送信号が無信号になった際に、ユーザの意図に沿ったチャンネルの選局を行うことができる。
【００１５】
また、表示部に表示中のテレビジョン放送信号が無信号になった際に、受信部は、無信号になったテレビジョン放送信号の受信動作を停止することができるので、受信部の負荷が大きくなるのを抑制することができる。
【００１６】
上記一の局面によるテレビジョン装置において、好ましくは、表示部に表示中の番組のチャンネルに対応するデジタルテレビジョン放送信号が受信部により受信されなくなった際に表示部に表示する番組に対応するチャンネルの選局方法を、ユーザにより予め設定可能に構成されている。このように構成すれば、表示部に表示中のデジタルテレビジョン放送信号が無信号になった場合に、ユーザにより予め設定された選局方法に従ってチャンネルの選局が行われるので、ユーザの意図に沿ったチャンネルの選局をより確実に行うことができる。
【００１７】
この場合、好ましくは、チャンネルの選局方法として、チャンネルの番号の最大値または最小値のチャンネルを選局することをユーザにより予め設定可能に構成されており、制御部は、チャンネルの選局方法がチャンネルの番号の最大値または最小値のチャンネルに設定されている場合に、表示部に表示中の番組のチャンネルに対応するデジタルテレビジョン放送信号が受信部により受信されなくなった際にチャンネルの番号の最大値または最小値のチャンネルに対応するデジタルテレビジョン放送信号を受信可能なように受信部を切り換える制御を行うように構成されている。このように構成すれば、表示部に表示中のデジタルテレビジョン放送信号が無信号になった場合に、ユーザがチャンネルの番号を指定することによりチャンネルの選局を行う場合と異なり、特定のチャンネル番号がない場合にも、最大または最小のチャンネル番号のチャンネルが選局されるので、チャンネルの選局をより確実に行うことができる。
【００１８】
上記チャンネルの番号の最大値および最小値に対応するチャンネルに対応するデジタルテレビジョン放送を受信するように設定可能な制御部を備えるテレビジョン装置において、好ましくは、チャンネルは、物理チャンネルと、物理チャンネルに対して少なくとも１つ割り当てられる仮想チャンネルとから構成され、制御部は、表示部に表示中の番組の仮想チャンネルに対応するデジタルテレビジョン放送信号が受信部により受信されなくなった際に受信されなくなった仮想チャンネルが属する物理チャンネルに対応する残りの仮想チャンネルの番号の最大値または最小値の仮想チャンネルに対応するデジタルテレビジョン放送信号を受信可能なように受信部を切り換える制御を行うように構成されている。このように構成すれば、ユーザにより指定された物理チャンネルに対して複数の仮想チャンネルが受信部により受信可能な場合にも、表示部に表示中のデジタルテレビジョン放送信号が無信号になった際の物理チャンネルのうち最大または最小の仮想チャンネルの選局を確実に行うことができる。
【００１９】
上記表示部に表示中のデジタルテレビジョン放送信号が受信部により受信されなくなった際に表示部に表示するチャンネルの選局方法をユーザにより予め設定可能なテレビジョン装置において、好ましくは、チャンネルは、物理チャンネルと、物理チャンネルに対して少なくとも１つ割り当てられる仮想チャンネルとから構成され、チャンネルの選局方法として、表示部に表示中の番組のチャンネルに対応するデジタルテレビジョン放送信号が受信部により受信されなくなった際に所定の物理チャンネルまたは仮想チャンネルの番号を指定して選局することを、ユーザにより予め設定可能に構成されており、制御部は、チャンネルの選局方法が所定の物理チャンネルの番号または仮想チャンネルの番号を指定して選局するように設定されている場合に、表示部に表示中の番組のチャンネルに対応するデジタルテレビジョン放送信号が受信部により受信されなくなった際にユーザにより予め設定された物理チャンネルまたは仮想チャンネルの番号に対応するデジタルテレビジョン放送信号を受信可能なように受信部を切り換える制御を行うように構成されている。このように構成すれば、表示部に表示中のデジタルテレビジョン放送信号が無信号になった場合に、ユーザが予め指定した物理チャンネルまたは仮想チャンネルを選局することができるので、よりユーザの意図に沿ったチャンネルの選局を行うことができる。
【００２０】
上記表示部に表示中のデジタルテレビジョン放送信号が受信部により受信されなくなった際に表示部に表示するチャンネルの選局方法をユーザにより予め設定可能なテレビジョン装置において、好ましくは、チャンネルの選局方法として、表示部に表示中の番組のチャンネルに対応するデジタルテレビジョン放送信号が受信部により受信されなくなった際に受信部によるデジタルテレビジョン放送信号の受信動作を停止させるように設定可能に構成されており、制御部は、チャンネルの選局方法が受信部によるデジタルテレビジョン放送信号の受信動作を停止させるように設定されている場合に、表示部に表示中の番組のチャンネルに対応するデジタルテレビジョン放送信号が受信部により受信されなくなった際にデジタルテレビジョン放送信号の受信動作を停止させるように受信部を制御するように構成されている。このように構成すれば、表示部に表示中のデジタルテレビジョン放送信号が無信号になった場合に、受信部によるデジタルテレビジョン放送信号の受信動作が停止されるので、この場合にも、ユーザの意図に沿って受信部の負荷をより低減することができる。
【図面の簡単な説明】
【００２１】
【図１】本発明の一実施形態による液晶テレビジョン装置の全体構成を示した図である。
【図２】図１に示した一実施形態による液晶テレビジョン装置のリモコンの構造を示した平面図である。
【図３】図１に示した一実施形態による液晶テレビジョン装置の構成を説明するためのブロック図である。
【図４】図１に示した一実施形態による液晶テレビジョン装置の受信部が受信可能なデジタルテレビジョン放送の物理チャンネルおよび仮想チャンネルを説明するための図である。
【図５】図１に示した一実施形態による液晶テレビジョン装置の表示部に表示されるメニュー画面を示した図である。
【図６】図１に示した一実施形態による液晶テレビジョン装置の表示部に表示する番組に対応するデジタルテレビジョン放送信号が受信されない場合に表示部に表示される画面を説明するための図である。
【図７】図１に示した一実施形態による液晶テレビジョンの表示部の選択画面の番組選択時の制御動作を示したフローチャートである。
【図８】図１に示した一実施形態による液晶テレビジョン装置の表示部に表示する番組が切り換わった際に表示部に表示される画面を説明するための図である。
【発明を実施するための形態】
【００２２】
以下、本発明を具体化した実施形態を図面に基づいて説明する。
【００２３】
図１〜図６を参照して、本実施形態による液晶テレビジョン装置１００の構成を説明する。なお、本実施形態では、テレビジョン装置の一例として、デジタルテレビジョン放送に対応する液晶テレビジョン装置１００について説明する。
【００２４】
本発明の一実施形態によるデジタルテレビジョン放送対応の液晶テレビジョン装置１００は、図１に示すように、装置本体１と、装置本体１を支持する脚部２と、リモコン３とから構成されている。
【００２５】
また、図１に示すように、装置本体１の前面には、映像を表示するための表示部１０と、装置本体１の操作が可能なリモコン３から送信される光信号を受信する受光部４と、前方に向かって音声を発生させるスピーカ部５とが設けられている。
【００２６】
また、リモコン３は、図２に示すように、チャンネル番号（後述する物理チャンネル番号および仮想チャンネル番号）を直接入力して番組を選局することが可能なダイレクト選局ボタン３１と、番組をチャンネル番号順に選局するチャンネルアップボタン３２およびチャンネルダウンボタン３３と、表示部１０（図１参照）に後述するメニュー画面２０を表示させるメニューボタン３４と、メニュー画面２０中において後述するカーソル１１（図５参照）を移動させる移動ボタン３５と、決定ボタン３６とを含む。
【００２７】
また、液晶テレビジョン装置１００は、図３に示すように、ＤＶＤ録画再生装置などを液晶テレビジョン装置１００と接続するための外部入力端子４１と、アンテナ２００を介して放送局から配信されるデジタルテレビジョン放送信号を受信する受信部４２とを含む。これら外部入力端子４１および受信部４２は、映像および音声信号の出入力を切り換える機能を有するＡＶセレクタ４３に接続されている。また、受信部４２は、受信する番組の物理チャンネルおよび仮想チャンネルに対応するテレビジョン放送信号を受信可能なように、後述する制御部４８により制御されるように構成されている。
【００２８】
また、受信部４２は、放送局からデジタルテレビジョン放送を受信する際、放送局より配信される番組の映像、音声、物理チャンネル番号および仮想チャンネル番号などが含まれるＴＳ（Ｔｒａｎｓｐｏｒｔ  Ｓｔｒｅａｍ；デジタル放送信号）を受信するように構成されている。このＴＳは、パケットとして映像、音声、物理チャンネル番号および仮想チャンネル番号などが一定のデータ量ごとにまとめられ、パケットが多重化された状態で放送局から配信される。
【００２９】
また、ＡＶセレクタ４３には、受信部４２により受信されたデジタルテレビジョン放送の番組を選択するために必要な仮想チャンネル番号を後述するメモリ４９に格納するトランスポート処理部４４と、外部入力端子４１、受信部４２からの映像・音声信号をデコード（復号）するＡＶデコーダ４５とが接続されている。ＡＶデコーダ４５は、ＡＶセレクタ４３によって分離された映像信号および音声信号のそれぞれに対してデコード処理（符号の復号化）を行い、映像データおよび音声データを生成する機能を有する。
【００３０】
また、ＡＶデコーダ４５には、ＡＶデコーダ４５からの映像信号の各種処理を行う映像処理部４６と、ＡＶデコーダ４５からの音声信号を処理する音声処理部４７とが接続されている。また、映像処理部４６は、表示部１０に接続されており、後述する制御部４８の制御により、Ｄ／Ａ変換処理（デジタル／アナログ変換処理）を施した上で、デジタルテレビジョン放送の番組などの映像を表示部１０に出力する機能を有している。また、音声処理部４７は、後述する制御部４８の制御により、Ｄ／Ａ変換処理を施した上で、デジタルテレビジョン放送の番組などの音声をスピーカ部５に出力する機能を有している。
【００３１】
また、液晶テレビジョン装置１００は、ＣＰＵからなり、液晶テレビジョン装置１００の全体の制御を司る制御部４８と、受信部４２から受信された放送局からのデジタルテレビジョン放送の番組の仮想チャンネル番号を格納するメモリ４９とをさらに含んでいる。また、制御部４８には、受光部４が接続されており、液晶テレビジョン装置１００は、リモコン３からの光信号を受光部４が受信することにより、ユーザによるリモコン操作が可能であるように構成されている。また、液晶テレビジョン装置１００内の各部分は、バス（伝送路）５０によって互いに接続されることによって、制御信号および制御上のデータを互いに通信することが可能に構成されている。
【００３２】
ここで、デジタルテレビジョン放送の番組には、１つの物理チャンネル番号に対して、複数の仮想チャンネル番号が存在する場合がある。物理チャンネルとは、デジタルテレビジョン放送において、その放送が使用している周波数帯域に対応して割り振られた番号である。また、仮想チャンネルとは、デジタルテレビジョン放送において、ある物理チャンネル内にさらに複数の番組を個々に選局可能なように割り振られている番号である。また、デジタルテレビジョン放送では、同一の時間帯において、同一の物理チャンネル内で異なる複数の仮想チャンネルに対応する番組が別個に配信される場合がある。また、デジタルテレビジョン放送では、時間帯によって、仮想チャンネル数が異なる場合がある。たとえば、図４に示すように、１７：００〜１８：００の時間帯では、３つの仮想チャンネル「２−１」、「２−２」および「２−３」のそれぞれに対応する番組が同時に配信されている。また、１８：００〜１９：００では、仮想チャンネル「２−３」に対応する番組は配信されなくなり、２つの仮想チャンネル「２−１」および「２−２」のそれぞれに対応する番組が配信される。そして、１９：００〜２１：００の時間帯では、仮想チャンネル「２−１」および「２−２」のそれぞれに対応する番組の配信が終了し、仮想チャンネル「２−５」に対応する番組のみが配信される。この仮想チャンネル「２−５」は、３つの番組のデータ量を合計したデータ量を含むＨＤ（Ｈｉｇｈ  Ｄｅｆｉｎｉｔｉｏｎ）放送である。そして、２１：００〜２２：００では、仮想チャンネル「２−５」に対応する番組の配信が終了し、再び３つの仮想チャンネル「２−１」、「２−２」および「２−３」のそれぞれに対応する番組の配信が再開される。このように、デジタルテレビジョン放送では、ある時間帯に所定の仮想チャンネルが選局されて、液晶テレビジョン装置１００（図１参照）の表示部１０（図１参照）の表示されている場合に、その仮想チャンネルに対応する番組が終了すると、表示部１０に表示中の番組に対応するデジタルテレビジョン放送信号が無信号（受信部４２により受信されない状態）となる場合がある。
【００３３】
また、制御部４８（図３参照）は、リモコン３（図２参照）のメニューボタン３４（図２参照）が押圧されると、図５に示すメニュー画面２０を表示部１０に表示するように構成されている。このメニュー画面２０は、表示部１０に表示中の番組の仮想チャンネルに対応するデジタルテレビジョン放送信号が無信号となった場合に、選局する仮想チャンネルの番号またはその選局方法を設定するための画面である。具体的には、メニュー画面２０は、各種設定項目において仮想チャンネルの選局方法を選択および決定するためのカーソル１１と、仮想チャンネルを選局する選局方法の設定項目である項目「最小仮想チャンネル」１２と、項目「最大仮想チャンネル」１３と、項目「指定仮想チャンネル」１４と、項目「指定物理チャンネル」１５と、項目「選局チャンネルなし」１６とを含む。
【００３４】
ここで、本実施形態では、制御部４８（図３参照）は、カーソル１１の位置が項目「最小仮想チャンネル」１２に決定された場合、表示部１０に表示中の番組に対応するデジタルテレビジョン放送信号が無信号となった際、表示中の番組の物理チャンネル内において、デジタルテレビジョン放送信号の受信可能な最小のチャンネル番号を有する仮想チャンネルを選局する制御を受信部４２（図３参照）に対して行うように構成されている。また、制御部４８（図３参照）は、カーソル１１の位置が項目「最大仮想チャンネル」１３に決定された場合、表示部１０に表示中の番組に対応するデジタルテレビジョン放送信号が無信号となった際、表示中の番組の物理チャンネル内において、デジタルテレビジョン放送信号の受信可能な最大のチャンネル番号を有する仮想チャンネルを選局する制御を受信部４２（図３参照）に対して行うように構成されている。
【００３５】
また、本実施形態では、制御部４８（図３参照）は、カーソル１１の位置が項目「指定仮想チャンネル」１４に決定された場合、表示部１０に表示中の番組に対応するデジタルテレビジョン放送信号が無信号となった際、ユーザによりリモコン３（図２参照）のダイレクト選局ボタン３１（図２参照）により選局した仮想チャンネルを選局する制御を受信部４２（図３参照）に対して行うように構成されている。また、制御部４８は、カーソル１１の位置が項目「指定物理チャンネル」１５に決定された場合、表示部１０に表示中の番組に対応するデジタルテレビジョン放送信号が無信号となった際、ユーザによりリモコン３（図２参照）のダイレクト選局ボタン３１（図２参照）により選局した物理チャンネル内の最小のチャンネル番号を有する仮想チャンネルを選局する制御を受信部４２（図３参照）に対して行うように構成されている。また、制御部４８（図３参照）は、カーソル１１の位置が項目「選局チャンネルなし」１６に決定された場合、表示部１０に表示中の番組に対応するデジタルテレビジョン放送信号が無信号となった際、チャンネルの選局は行わず、表示部１０にブラック画面を表示するとともに、図６に示すように、選局中の仮想チャンネルに対応するデジタルテレビジョン放送信号が受信されていないことを示す「ＮＯ  ＳＩＧＮＡＬ」を表示するように構成されている。このとき、制御部４８（図３参照）は、受信部４２（図３参照）に対して、デジタルテレビジョン放送信号の受信を停止させる制御を行うように構成されている。なお、制御部４８（図３参照）は、工場出荷時には、表示部１０に表示中の番組に対応するデジタルテレビジョン放送信号が無信号となった際の選局は行われず、メニュー画面２０（図５参照）における項目「選局チャンネルなし」１６（図５参照）が選択されている場合と同様な制御を行うように構成されている。また、メニュー画面２０（図５参照）により設定されたチャンネルの選局方法は、メモリ４９（図３参照）に格納されるように構成されている。
【００３６】
次に、図１〜図３および図５〜図８を参照して、本実施形態による液晶テレビジョン装置１００の制御動作を説明する。
【００３７】
まず、図７に示すように、ステップＳ１において、制御部４８（図３参照）により、表示部１０（図１参照）に表示中の番組の仮想チャンネルに対応するデジタルテレビジョン放送信号が受信されなくなったか否かが判断される。そして、ステップＳ１において、表示部１０に表示中の番組の仮想チャンネルに対応するデジタルテレビジョン放送信号が受信されなくなったと判断された場合には、ステップＳ２に移行する。なお、ステップＳ１において、表示部１０に表示中の番組の仮想チャンネルに対応するデジタルテレビジョン放送信号が受信されていると判断された場合には、ステップＳ１の判断が繰り返される。
【００３８】
ここで、本実施形態では、ステップＳ２では、表示部１０に表示中の番組の仮想チャンネルに対応するデジタルテレビジョン放送信号が受信されない場合のチャンネルの選局方法を、予めメニュー画面２０（図５参照）において設定されていたか否かが判断される。そして、ステップＳ２において、表示部１０に表示中の番組の仮想チャンネルに対応するデジタルテレビジョン放送信号が受信されない場合のチャンネルの選局方法を、予めメニュー画面２０において設定されていると判断された場合には、ステップＳ３に移行する。また、ステップＳ２において、表示部１０に表示中の番組の仮想チャンネルに対応するデジタルテレビジョン放送信号が受信されない場合のチャンネルの選局方法を、予めメニュー画面２０において設定されていないと判断された場合には、ステップＳ７に移行して、表示部１０にブラック画面が表示されるとともに、図６に示すように、選局中の仮想チャンネルに対応するデジタルテレビジョン放送信号が受信されていないことを示す「ＮＯ  ＳＩＧＮＡＬ」が表示されて、処理が終了される。
【００３９】
また、本実施形態では、ステップＳ３では、メニュー画面２０（図５参照）において、予め項目「選局チャンネルなし」１６（図５参照）が選択されていたか否かが判断される。そして、ステップＳ３において、予め項目「選局チャンネルなし」１６が選択されていたと判断された場合には、ステップＳ７に移行する。また、ステップＳ３において、予め項目「選局チャンネルなし」１６が選択されていなかったと判断された場合には、ステップＳ４に移行する。この場合、メニュー画面２０において、項目「選局チャンネルなし」１６以外の設定項目（項目１１〜１５のいずれか１つ）が選択されていたと判断される。そして、ステップＳ４において、メニュー画面２０において、予め設定された、項目「最小仮想チャンネル」１２、項目「最大仮想チャンネル」１３、項目「指定仮想チャンネル」１４および項目「指定物理チャンネル」１５（それぞれ図５参照）のいずれかの選局方法に従って仮想チャンネルを選局するとともに、その仮想チャンネルに対応するデジタルテレビジョン放送信号を受信可能なように受信部４２（図３参照）が切り換えられる。
【００４０】
そして、ステップＳ５において、ステップＳ４で選局された仮想チャンネルに対応するデジタルテレビジョン放送信号が受信部４２により受信されているか否かが判断される。そして、ステップＳ５において、選局された仮想チャンネルに対応するデジタルテレビジョン放送信号が受信部４２により受信されている（無信号ではない）と判断された場合、ステップＳ６に移行して、ステップＳ４で選局された仮想チャンネルの番組が表示部１０に表示されるとともに、図８に示すように、表示部１０に予め設定された仮想チャンネルに移動したことを示すように「視聴中の番組が終了しましたので設定されたチャンネルに移動しました」と表示され、処理が終了される。また、ステップＳ５において、ステップＳ４で選局された仮想チャンネルに対応するデジタルテレビジョン放送信号が受信部４２により受信されていない（無信号である）と判断された場合には、ステップＳ７に移行して、表示部１０にブラック画面が表示され、「ＮＯ  ＳＩＧＮＡＬ」（図６参照）が表示された後、処理が終了される。
【００４１】
なお、上述の処理動作が終了した後には、受信部４２におけるデジタルテレビジョン放送の受信状態に応じて、ステップＳ１〜ステップＳ７までの一連の処理が再び繰り返される。
【００４２】
本実施形態では、上記のように、表示部１０に表示中の番組の仮想チャンネルに対応するデジタルテレビジョン放送信号が、受信部４２により受信されなくなった場合に、受信部４２に対して、ユーザにより予め設定された仮想チャンネルに対応するデジタルテレビジョン放送信号を受信可能なように切り換える制御を行う制御部４８を設けることによって、表示部１０に表示中の番組の仮想チャンネルに対応するデジタルテレビジョン放送信号が、受信部４２により受信されなくなった場合にも、ユーザにより予め設定された仮想チャンネルを自動的に選局することができる。これにより、表示部１０に表示中のデジタルテレビジョン放送信号が無信号になった際の仮想チャンネルの選局操作が煩雑化するのを抑制することができる。また、制御部４８を、表示部１０に表示中の番組の仮想チャンネルに対応するデジタルテレビジョン放送信号が、受信部４２により受信されなくなった場合に、受信部４２に対して、ユーザにより予め設定された仮想チャンネルに対応するデジタルテレビジョン放送信号を受信可能なように切り換える制御を行うように構成することによって、ユーザが予め設定した仮想チャンネルを選局することができる。これにより、表示部１０に表示中のデジタルテレビジョン放送信号が無信号になった際に、ユーザの意図に沿った仮想チャンネルの選局を行うことができる。
【００４３】
また、本実施形態では、上記のように、制御部４８を、表示部１０に表示中の番組の仮想チャンネルに対応するデジタルテレビジョン放送信号が、受信部４２により受信されなくなった場合に、受信部４２に対して、ユーザにより予め設定された仮想チャンネルに対応するデジタルテレビジョン放送信号を受信可能なように切り換える制御を行うように構成することによって、受信部４２により受信されなくなったデジタルテレビジョン放送信号から次に表示する仮想チャンネルに対応するデジタルテレビジョン放送信号を受信するように受信部４２を切り換えることができる。これにより、表示部１０に表示中のテレビジョン放送信号が無信号になった際に、受信部４２は、無信号になったテレビジョン放送信号の受信動作を停止することができるので、受信部４２の負荷が大きくなるのを抑制することができる。  
【００４４】
また、本実施形態では、上記のように、表示部１０に表示中の番組の仮想チャンネルに対応するデジタルテレビジョン放送信号が受信部４２により受信されなくなった際に表示部１０に表示する番組に対応する物理チャンネルまたは仮想チャンネルの選局方法を、ユーザにより予め設定可能に液晶テレビジョン装置１００を構成することによって、表示部１０に表示中のデジタルテレビジョン放送信号が無信号になった場合に、ユーザにより予め設定された選局方法に従って物理チャンネルまたは仮想チャンネルの選局が行われるので、ユーザの意図に沿った物理チャンネルまたは仮想チャンネルの選局をより確実に行うことができる。
【００４５】
また、本実施形態では、上記のように、チャンネルの選局方法として、仮想チャンネルの番号の最大値または最小値の仮想チャンネルを選局することをユーザにより予め設定可能に液晶テレビジョン装置１００を構成し、制御部４８を、チャンネルの選局方法が仮想チャンネルの番号の最大値または最小値のチャンネルに設定されている場合に、表示部１０に表示中の番組の仮想チャンネルに対応するデジタルテレビジョン放送信号が受信部４２により受信されなくなった際に受信されなくなった仮想チャンネルが属する物理チャンネルに対応する残りの仮想チャンネルの番号の最大値または最小値の仮想チャンネルに対応するデジタルテレビジョン放送信号を受信可能なように受信部４２を切り換える制御を行うように構成することによって、表示部１０に表示中のデジタルテレビジョン放送信号が無信号になった場合に、ユーザが仮想チャンネルの番号を指定することにより仮想チャンネルの選局を行う場合と異なり、特定の仮想チャンネルがない場合にも、最大または最小のチャンネルの番号のチャンネルが選局されるので、チャンネルの選局をより確実に行うことができる。
【００４６】
また、本実施形態では、上記のように、チャンネルの選局方法として、表示部１０に表示中の番組のチャンネルに対応するデジタルテレビジョン放送信号が受信部４２により受信されなくなった際に所定の物理チャンネルまたは仮想チャンネルの番号を指定して選局することを、ユーザにより予め設定可能に液晶テレビジョン装置１００を構成し、制御部４８を、チャンネルの選局方法が所定の物理チャンネルの番号または仮想チャンネルの番号を指定して選局するように設定されている場合に、表示部１０に表示中の番組の仮想チャンネルに対応するデジタルテレビジョン放送信号が受信部４２により受信されなくなった際にユーザにより予め設定された物理チャンネルまたは仮想チャンネルの番号に対応するデジタルテレビジョン放送信号を受信可能なように受信部４２を切り換える制御を行うように構成することによって、表示部１０に表示中のデジタルテレビジョン放送信号が無信号になった場合に、ユーザが予め指定した物理チャンネルまたは仮想チャンネルを選局することができるので、よりユーザの意図に沿った仮想チャンネルの選局を行うことができる。
【００４７】
また、本実施形態では、上記のように、チャンネルの選局方法として、表示部１０に表示中の番組のチャンネルに対応するデジタルテレビジョン放送信号が受信部４２により受信されなくなった際に受信部４２によるデジタルテレビジョン放送信号の受信動作を停止させるように設定可能に液晶テレビジョン１００を構成し、制御部４８を、チャンネルの選局方法が受信部４２によるデジタルテレビジョン放送信号の受信動作を停止させるように設定されている場合に、表示部１０に表示中の番組の仮想チャンネルに対応するデジタルテレビジョン放送信号が受信部４２により受信されなくなった際にデジタルテレビジョン放送信号の受信動作を停止させるように受信部４２を制御するように構成することによって、表示部１０に表示中のデジタルテレビジョン放送信号が無信号になった場合に、受信部４２によるデジタルテレビジョン放送信号の受信動作は行われないので、この場合にも、ユーザの意図に沿って受信部４２の負荷をより低減することができる。
【００４８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４９】
たとえば、上記実施形態では、テレビジョン装置の一例として、液晶テレビジョン装置を示したが、本発明はこれに限らず、デジタルテレビジョン放送信号を受信する受信部を備えるテレビジョン装置であれば、ブラウン管テレビジョン、プラズマテレビジョン、リアプロジェクションテレビジョンなど、液晶テレビジョン装置以外のテレビジョン装置にも適用可能である。
【００５０】
また、上記実施形態では、制御部を、表示部に表示中の番組の仮想チャンネルに対応するテレビジョン放送信号が受信されなくなった際の選局方法を指定物理チャンネルに設定した場合、指定された物理チャンネル内の最小のチャンネルの番号を有する仮想チャンネルが選局するように構成する例を示したが、本発明はこれに限らず、指定された物理チャンネル内の最大のチャンネル番号を有する仮想チャンネルが選局されるように構成してもよい。
【００５１】
また、上記実施形態では、表示部に表示中の番組の仮想チャンネルに対応するテレビジョン放送信号が受信されなくなった際の選局方法として、最小仮想チャンネル、最大仮想チャンネル、指定仮想チャンネルおよび指定物理チャンネルを選局する例を示したが、本発明はこれに限らず、最小物理チャンネルおよび最大物理チャンネルなど、最小仮想チャンネル、最大仮想チャンネル、指定仮想チャンネルおよび指定物理チャンネル以外のチャンネルを選局する方法を用いてもよい。
【符号の説明】
【００５２】
１０  表示部
４２  受信部
４８  制御部
１００  液晶テレビジョン装置（テレビジョン装置）
【図１】
2010246028.tif 000003
【図２】
2010246028.tif 000004
【図３】
2010246028.tif 000005
【図４】
2010246028.tif 000006
【図５】
2010246028.tif 000007
【図６】
2010246028.tif 000008
【図７】
2010246028.tif 000009
【図８】
2010246028.tif 000010